(57)【特許請求の範囲】
【請求項１】
マトリクス状に配置する非線形抵抗素子に走査信号とデータ信号を介して書き込み期間Ｔｓに書き込み電圧Ｖｓを、その後段に第１の保持期間Ｔｈに保持電圧Ｖｈを、前記非線形抵抗素子を介して液晶に印加する液晶表示装置の駆動方法において、
前記走査信号は、標準書き込み期間内で、前記書き込み期間Ｔｓの前に、データ電圧の偏りを防止するためのデータ電圧補償期間Ｔｄと、
前記データ電圧補償期間Ｔｄの前に、前記非線形抵抗素子の電流特性の変化を防止するための複数個の変化防止期間Ｔｒと、
隣り合う前記変化防止期間Ｔｒの間に第２の保持期間とを有し、
さらに隣り合う保持期間には、逆極性の電圧を印加することを特徴とする液晶表示装置の駆動方法。
【請求項２】
前記逆極性の電圧は、前記保持電圧Ｖｈと同等の電圧であることを特徴とする請求項１に記載の液晶表示装置の駆動方法。
【請求項３】
前記変化防止期間Ｔｒに印加する変化防止電圧Ｖｒは、前記書き込み電圧Ｖｓと前記データ電圧補償期間Ｔｄに印加するデータ補償電圧Ｖｄに比較して大きな電圧であり、かつ前記データ補償電圧Ｖｄは前記書き込み電圧Ｖｓと逆極性の同じ電圧であることを特徴とする請求項１または２に記載の液晶表示装置の駆動方法。
【請求項４】
前記データ信号は、前記走査信号の前記書き込み期間Ｔｓには表示内容によるデータ電圧ＶＤ１を印加し、前記走査信号の前記変化防止期間Ｔｒにはデータ電圧＋ＶＤ１と−ＶＤ１の中間値であるＶＤ０を印加し、前記走査信号の前記データ電圧補償期間Ｔｄには前記書き込み期間Ｔｓのデータ電圧ＶＤ１の反転信号を印加することを特徴とする請求項１から３のいずれか一項に記載の液晶表示装置の駆動方法。
【請求項５】
前記データ信号は、前記走査信号の前記書き込み期間Ｔｓと前記変化防止期間Ｔｒと前記データ電圧補償期間Ｔｄとのデータ電圧の最大振幅がそれぞれ異なるように設定されていることを特徴とする請求項１から４のいずれか一項に記載の液晶表示装置の駆動方法。
【請求項６】
前記書き込み期間Ｔｓの直前に、少なくとも一つの初期書き込み期間Ｔｓｉを設け、前記書き込み電圧Ｖｓよりも小さい電圧Ｖｓｉをその初期書き込み期間Ｔｓｉに印加することを特徴とする請求項１または２に記載の液晶表示装置の駆動方法。
【請求項７】
前記書き込み期間Ｔｓと前記初期書き込み期間Ｔｓｉは、休止期間を設けない連続した期間であることを特徴とする請求項６に記載の液晶表示装置の駆動方法。
【請求項８】
前記データ信号は、前記走査信号の前記書き込み期間Ｔｓには表示内容によるデータ電圧ＶＢ３を印加し、前記初期書き込み期間Ｔｓｉには前記データ電圧ＶＢ３よりも小さい電圧であるデータ電圧ＶＢ１を印加し、前記走査信号の前記変化防止期間Ｔｒにおける白表示の時にはデータ電圧ＶＢ０を、黒表示の時には前記データ電圧ＶＢ１を、中間調表示の時には前記データ電圧ＶＢ０と前記データ電圧ＶＢ１の中間値であるデータ電圧ＶＢ２を印加し、前記走査信号の前記データ電圧補償期間Ｔｄには一定のデータ電圧ＶＢ０を印加することを特徴とする請求項６または７に記載の液晶表示装置の駆動方法。
【請求項９】
前記変化防止期間Ｔｒは、前記データ電圧補償期間Ｔｄと前記書き込み期間Ｔｓよりも短期間であることを特徴とする請求項６から８のいずれか一項に記載の液晶表示装置の駆動方法。
【請求項１０】
前記変化防止電圧Ｖｒと、前記データ補償電圧Ｖｄと、前記書き込み電圧Ｖｓは、同等の電圧であることを特徴とする請求項６から９のいずれか一項に記載の液晶表示装置の駆動方法。
【発明の詳細な説明】
【０００１】
【発明の属する技術分野】
本発明は非線形抵抗素子を有する液晶表示装置の駆動方法に関し、とくに表示内容すなわち非線形抵抗素子に流れる電流量により電流−電圧特性の変化を起こす非線形抵抗素子を安定な状態にし、さらに表示内容による表示品質の変化を防止する技術に関する液晶表示装置の駆動方法に関する。
【０００２】
【従来の技術】
近年、液晶表示パネルを用いる液晶表示装置は、大容量化の一途をたどっている。そして、単純マトリクス構成の液晶表示装置にマルチプレクス駆動を用いる駆動方法は、高時分割化するに従ってコントラストの低下あるいは応答速度の低下が生じ、２００本程度の走査線を有するときでは、充分なコントラストを得ることが難しくなる。
【０００３】
そこで、このような欠点を除去するために、個々の画素にスイッチング素子を設けるアクティブマトリクス液晶表示パネルが採用されている。
【０００４】
アクティブマトリクス液晶表示パネルの方式には大別すると薄膜トランジスタを用いる三端子系と、非線形抵抗素子を用いる二端子系とがある。以下、従来技術として、二端子系の非線形抵抗素子を用いて説明する。
【０００５】
図１５は二端子系の非線形抵抗素子を用いる液晶表示パネルの構成を示す平面図である。図１６は、図１５に示す液晶表示パネルの平面図のＡ−Ａ線における断面を示す断面図である。以下、図１５と図１６とを交互に参照して説明する。
【０００６】
第１の基板３１上には、第１の電極３２を設け、そしてこの第１の電極３２の表面に非線形抵抗層３３を設ける。さらに第２の電極３４を、この非線形抵抗層３３を介して第１の電極３２上にオーバーラップするように設け、非線形抵抗素子３０を構成している。そして第２の電極３４の一部は、表示電極３５を兼ねている。
【０００７】
第２の基板３６上には、それぞれ表示電極３５の隙間からの光の漏れを除くために、図１５に示す斜線６１にて表す領域に、ブラックマトリクス３７を設けている。
【０００８】
さらに、表示電極３５と対向するように、第２の基板３６に対向電極３９を設ける。そしてこの対向電極３９は、ブラックマトリクス３７と接触して短絡しないように、絶縁膜３８を介して設ける。
【０００９】
第１の基板３１上の第１の電極３２は、非線形抵抗素子３０を構成するために張り出している領域をもち、非線形抵抗素子３０の領域において第２の電極３４と第１の電極３２とは、オーバーラップしている。また、第１の電極３２は、表示電極３５との間に一定寸法の間隙を有している。
【００１０】
表示電極３５は、液晶４１を介して対向電極３９と重なり合うように配置し、液晶表示パネルの画素部となる。
【００１１】
ブラックマトリスク３７は、表示電極３５の内側領域にはみ出すように構成して、表示電極３５の周囲からの光りの漏れを防止する働きを行う。そして、表示電極３５上のブラックマトリクス３７の開口領域の液晶４１の透過率変化によって、液晶表示装置は所定の表示を行う。
【００１２】
さらに以上の第１の基板３１と第２の基板３６とは、液晶４１の分子を規則的に並べるため処理層として、それぞれ配向膜４０、４０を設ける。またさらに、スペーサー４２により、第１の基板３１と第２の基板３６とは一定寸法の間隔をもって対向させ、第１の基板３１と第２の基板３６間には、液晶４１を封入している。
【００１３】
図１５と図１６とに示すマトリクス状に設ける非線形抵抗素子３０と液晶４１との等価回路を図１７の回路図に示す。図１７の回路図は、図１５に示す非線形抵抗素子３０を用いた液晶表示パネルの等価回路を示すものである。
【００１４】
走査電極Ｓ１〜ＳＮと信号電極Ｄ１〜ＤＮとは、それぞれの第１の基板３１と第２の基板３６の対向面側に設けている。そしてそれぞれの走査電極と信号電極との交差部に、非線形抵抗素子４１と、液晶画素４２からなる表示画素とを設けている。
【００１５】
液晶画素４２を「オン」にする駆動電圧が印加されたときは、非線形抵抗素子４１の抵抗は小さく、小さな時定数で液晶画素４２を「オン」にする。これに対して、駆動電圧が「オフ」になると、非線形抵抗素子４１の抵抗は大きい値を示し、大きい時定数で放電する。
【００１６】
この結果、「オン」と、「オフ」のときの液晶に印加される電圧の実効値の比率が大きくなり、高密度のマルチプレクス駆動が可能となる。
【００１７】
液晶表示装置の表示に利用する駆動波形を、図１８と図１９とを用いて説明する。図１８は走査信号の波形を示し、図１９はデーター信号の波形を示す。
【００１８】
図１８に示すように、時分割する標準書き込み期間（１Ｈ＝Ｔｓ）に書き込み電圧Ｖｓを印加して、非線形抵抗素子に大きな電圧を印加し、非線形抵抗素子を「オン」する。
【００１９】
このとき、データー信号は、目的の表示内容を表示する信号電圧を印加する。ここに示す従来技術では、データー信号電圧は、プラスマイナスＶＤ１で目的とする表示内容を、データー信号電圧の印加する時間幅ＴＤにより行う、いわゆるパルス幅変調を利用する。
【００２０】
標準書き込み期間（１Ｈ＝Ｔｓ）は、たとえば走査線数が２００本で、正側フィールドあるいは負側フィールドの期間が１６ミリ秒（ｍｓｅｃ）のとき、１６ミリ秒／２００＝８０マイクロ秒（μｓｅｃ）になる。
【００２１】
書き込み期間Ｔｓに、液晶の容量に蓄積する電荷を他の走査電極に書き込み期間Ｔｓが
時分割的に存在する間に非線形抵抗素子を介して変化しないようにするため、標準書き込み期間（１Ｈ＝Ｔｓ）以外の保持期間Ｔｈには、保持電圧Ｖｈを印加する。
【００２２】
ここで実際の表示では、走査電極Ｓ１〜ＳＮを同一極性の書き込み電圧を使用するフィールド反転駆動法、あるいは走査電極Ｓ１〜ＳＮの奇数行と偶数行とで書き込み電圧の極性を反転しながら表示を行う行毎反転駆動法がある。
【００２３】
【発明が解決しようとする課題】
しかしフィールド反転駆動法あるいは行毎反転駆動法のどちらの駆動方法においても、表示内容によりデーター電圧の偏りが発生する。そして、この偏りが発生することにより、保持期間Ｔｈに非線形抵抗素子に偏った電圧が印加され、他のデーター信号の影響を受ける、いわゆるクロストーク現象が発生する。
【００２４】
さらに非線形抵抗素子には、液晶表示パネルの駆動中に、非線形抵抗素子に流れる電流により初期の電流−電圧特性から変化を示すものがある。たとえば、液晶表示パネルに白と黒の固定表示を行うと、黒表示と白表示で非線形抵抗素子に流れる電流量が異なる。
【００２５】
このため非線形抵抗素子の電流−電圧特性が白表示と黒表示で差が発生し、一定時間固定表示を行った後に画像を切り換えても、表示上に固定画像が残像として残ってしまう現象が起こる。この残像現象について図２０を用いて説明する。液晶表示装置は、ノーマリー白の表示である。図２０のグラフは任意の画素を、５分間隔で電圧の変化を行うときの透過率の変化を示している。
【００２６】
最初に透過率５０％の表示の電圧（Ｖ１）を５分間（非選択期間：Ｔ１）印加し、つぎに透過率１０％の表示の電圧（Ｖ２）を５分間（選択期間：Ｔ２）印加し、さらにふたたび最初のＴ１の非選択期間に印加した電圧（Ｖ１）と同一な電圧（Ｖ３）を５分間（非選択期間：Ｔ３）印加する。
【００２７】
残像現象は、非選択期間Ｔ１と非選択期間Ｔ３とに印加する電圧が等しいにもかかわらず、透過率に差（ΔＴ）が生じる現象である。前述の液晶表示装置における透過率の差ΔＴは、５％であった。
【００２８】
以上の説明から明らかなように、残像現象が発生することにより、本来表示すべき画像と異なる表示内容が表示されることになる。このために、この残像現象は、液晶表示装置の品質をきわめて低下させることになり、液晶表示装置としては実用上大きな問題である。
【００２９】
前述の残像現象の大きな発生要因として、表示内容、たとえば黒表示と白表示の違いによる非線形抵抗素子に流れる電流量の差により、非線形抵抗素子の電流−電圧特性の変化に差が発生するものがある。
【００３０】
この電流−電圧特性の変化を図２１を用いて説明する。図２１は非線形抵抗素子の電流−電圧特性を示すグラフである。図２１に示すように、横軸は非線形抵抗素子に印加する電圧であり、縦軸は非線形抵抗素子に流れる電流を対数軸にて示している。実線Ｂは一定時間白表示を行った後の電流−電圧特性を示す曲線であり、破線Ｃは一定時間黒表示を行った後の特性を示す曲線である。
【００３１】
白表示と黒表示を行った後の特性は、図２１に示すように実線Ｂと破線Ｃには差が発生し、実線Ｂと破線Ｃの差分が前述の残像現象の原因となる。この画像焼き付きの発生により、液晶表示装置の表示品質の低下が起きてしまう。
【００３２】
さらに、液晶表示装置に利用する液晶層は、電圧により分子配向変形をし、液晶の容量が表示内容により変化する、いわゆる液晶の誘電異方性がある。そのため、液晶と非線形抵抗素子の容量比が表示内容により変化するため、さらに非線形抵抗素子の電流−電圧特性の変化が強調されてしまう。
【００３３】
本発明の目的は、上記の非線形抵抗素子の表示内容による電圧−電流特性の変化を抑え、初期の特性を維持することが可能な液晶表示装置の駆動方法を提供することである。
【００３４】
さらに本発明の目的は、表示内容によるデーター電圧の偏りの発生を防止し、クロストークを防止するとともに、データー電圧の偏りによる電流−電圧特性の変化を防止し、コントラストの低下やフリッカ現象や画像焼き付き現象を防止して、良好な画像品質を有する液晶表示装置の駆動方法を提供することである。
【００３５】
さらに本発明の目的は、表示内容に依存する液晶の誘電異方性を打ち消し合う電圧を印加し、表示内容に依存する非線形抵抗素子の電流−電圧特性を非常に小さくし、画像焼き付きを防止するための液晶表示装置の駆動方法を提供することである。
【００３６】
さらに本発明の目的は、素子に表示内容に依存し、異なった急峻な電流が書き込み期間Ｔｓの初期の流れることを防止し、素子の長期的な電流−電圧特性の変化を低減する液晶表示装置の駆動方法を提供することである。
【００３７】
【課題を解決するための手段】
上記目的を達成するために、本発明の液晶表示装置の駆動方法においては、以下に記載の駆動方法を採用する。
【００３８】
本発明の液晶表示装置の駆動方法は、マトリクス状に配置する非線形抵抗素子に走査信号とデーター信号を介して書き込み期間Ｔｓに書き込み電圧Ｖｓを、その後段に第１の保持期間Ｔｈに保持電圧Ｖｈを、非線形抵抗素子を介して液晶に印加する液晶表示装置の駆動方法において、走査信号が、標準書き込み期間内で、書き込み期間Ｔｓの前に、データ電圧の偏りを防止するためのデータ電圧補償期間Ｔｄと、データ電圧補償期間Ｔｄの前に、非線形抵抗素子の電流特性の変化を防止するための複数個の変化防止期間Ｔｒと、隣り合う変化防止期間Ｔｒの間に第２の保持期間とを有し、さらに隣り合う保持期間には、逆極性の電圧を印加することを特徴とする。
【００３９】
本発明の液晶表示装置の駆動方法は、逆極性の電圧を、保持電圧Ｖｈと同等の電圧としたことを特徴とする。
【００４０】
本発明の液晶表示装置の駆動方法は、変化防止期間Ｔｒに印加する変化防止電圧Ｖｒを、書き込み電圧Ｖｓとデータ電圧補償期間Ｔｄに印加するデータ補償電圧Ｖｄに比較して大きな電圧とし、かつデータ補償電圧Ｖｄを書き込み電圧Ｖｓと逆極性の同じ電圧としたことを特徴とする。
【００４１】
本発明の液晶表示装置の駆動方法におけるデータ信号は、走査信号の書き込み期間Ｔｓには表示内容によるデータ電圧ＶＤ１を印加し、走査信号の変化防止期間Ｔｒにはデータ電圧＋ＶＤ１と−ＶＤ１の中間値であるＶＤ０を印加し、走査信号のデータ電圧補償期間Ｔｄには書き込み期間Ｔｓのデータ電圧ＶＤ１の反転信号を印加することを特徴とする。
【００４２】
本発明の液晶表示装置の駆動方法は、データ信号を、走査信号の書き込み期間Ｔｓと変化防止期間Ｔｒとデータ電圧補償期間Ｔｄとのデータ電圧の最大振幅がそれぞれ異なるよ
うに設定したことを特徴とする。
【００４３】
本発明の液晶表示装置の駆動方法は、書き込み期間Ｔｓの直前に、少なくとも一つの初期書き込み期間Ｔｓｉを設け、書き込み電圧Ｖｓよりも小さい電圧Ｖｓｉをその初期書き込み期間Ｔｓｉに印加することを特徴とする。
【００４４】
本発明の液晶表示装置の駆動方法は、書き込み期間Ｔｓと初期書き込み期間Ｔｓｉが、休止期間を設けない連続した期間であることを特徴とする。
【００４５】
本発明の液晶表示装置の駆動方法におけるデータ信号は、走査信号の書き込み期間Ｔｓには表示内容によるデータ信号ＶＢ３を印加し、初期書き込み期間Ｔｓｉにはデータ電圧ＶＢ３よりも小さい電圧であるデータ電圧ＶＢ１を印加し、走査信号の変化防止期間Ｔｒにおける、白表示の時にはデータ電圧ＶＢ０を、黒表示の時にはデータ電圧ＶＢ１を、中間調表示の時にはデータ電圧ＶＢ０とデータ電圧ＶＢ１の中間値であるデータ電圧ＶＢ２を印加し、走査信号のデータ電圧補償期間Ｔｄには一定のデータ電圧ＶＢ０を印加することを特徴とする。
【００４６】
本発明の液晶表示装置の駆動方法は、変化防止期間Ｔｒを、データ電圧補償期間Ｔｄと書き込み期間Ｔｓよりも短期間としたことを特徴とする。
【００４７】
本発明の液晶表示装置の駆動方法は、変化防止電圧Ｖｒと、データ補償電圧Ｖｄと、書き込み電圧Ｖｓとを同等の電圧としたことを特徴とする。
【００４８】
【００４９】
本発明の液晶表示装置の駆動方法を採用することにより、実際の表示に利用する書き込み期間Ｔｓの他に、電流−電圧特性の変化の差を防止する変化防止期間Ｔｒを設ける。
【００５０】
このことにより、実際の書き込み期間Ｔｓに発生する非線形抵抗素子の電流−電圧特性の差を変化防止期間Ｔｒを利用し、非線形抵抗素子に電流を流し、電流−電圧特性の差をなくすことが可能となる。したがって、表示内容に依存する非線形抵抗素子の電流−電圧特性の差をなくすことができる。
【００５１】
さらに上記表示内容による非線形抵抗素子の電流−電圧特性の変化の差を変化防止期間Ｔｒに、表示内容に依存しない一定のデーター電圧の中間電圧ＶＤ０を印加する。このことにより、表示内容に依存することなく、非線形抵抗素子の電流−電圧特性の差を制御よく防止することができる。
【００５２】
【００５３】
【００５４】
したがって、本発明の液晶表示装置の駆動方法では、非線形抵抗素子の表示内容に依存する電流−電圧特性の差を防止すると同時に、表示内容に依存するデーター電圧の偏りが起きたときに発生するクロストーク現象を防止することができる。
【００５５】
さらにそのうえ、電流−電圧特性の差を防止する変化防止期間Ｔｒを短時間化し、さらに変化防止期間Ｔｒを複数回印加する。このことにより、表示品質の低下をまねくことなく表示内容に依存する非線形抵抗素子の電流−電圧特性の差を効率よく低減することができる。
【００５６】
さらに、書き込み期間Ｔｓの初期に印加する電圧を書き込み期間Ｔｓの後半に印加する電圧より小さくする。また書き込み期間Ｔｓの初期の電圧から段階的、あるいは徐々に電
圧を大きくすることにより、書き込み期間Ｔｓの初期に非線形抵抗素子に流れる電流を小さくすることができる。そのため、書き込み期間Ｔｓの初期に急激に非線形抵抗素子に流れる電流を制御でき、非線形抵抗素子の電流劣化を低減することができる。
【００５７】
さらに、変化防止期間Ｔｒとデーター電圧補償期間Ｔｄを短時間化することにより表示品質の低下をまねくことなく表示内容に依存する非線形抵抗素子の電流−電圧特性の差の低減ができる。
【００５８】
【発明の実施の形態】
以下に本発明を実施するための最良の形態における液晶表示装置の駆動方法を図面に基づいて説明する。なお本発明の実施形態に用いる液晶表示パネルの構成は、図１５と図１６と図１７を用いて説明した構成と同じ構造を採用する。
【００５９】
はじめに本発明の第１の実施形態における液晶表示装置の駆動方法に用いる駆動波形を、図１と図２との波形図を用いて説明する。図１の波形図は、本発明の第１の実施形態に用いる走査信号波形を示す波形図である。図２は、本発明の第１の実施形態に用いるデーター信号波形を示す波形図である。以下、図１と図２とを交互に用いて本発明の第１の実施形態の駆動方法を説明する。
【００６０】
図１に示す走査信号波形は、図１７に示す液晶表示パネルの等価回路図の走査電極ＳＮに印加する波形である。また、図２に示すデーター信号波形は、図１７に示す液晶表示パネルの等価回路図のデーター電極ＤＮに印加する波形である。ここで図１と図２との縦軸は電圧を示し、横軸は時間を示す。
【００６１】
図１の波形図に示すように、走査信号波形は時間分割されており、標準書き込み期間（１Ｈ）の期間に、非線形抵抗素子の電流−電圧特性の変化を防止する変化防止期間Ｔｒと、データー電圧補償期間Ｔｄと、書き込み期間Ｔｓを有する。
【００６２】
そして、走査信号波形の非線形抵抗素子の電流−電圧特性の変化を防止する変化防止期間Ｔｒには、変化防止電圧Ｖｒを印加する。書き込み期間Ｔｓには、書き込み電圧Ｖｓを印加する。データー電圧補償期間Ｔｄには、データー補償電圧Ｖｄを印加する。
【００６３】
本発明の実施形態では、変化防止電圧Ｖｒは、書き込み電圧Ｖｓとデーター補償電圧Ｖｄとよりも大きな絶対値の電圧を印加する。さらに、書き込み電圧Ｖｓとデーター補償電圧Ｖｄとは、反対の極性で絶対値が等しい電圧である。
【００６４】
さらに図２に示すように、データー信号波形は走査信号の書き込み期間Ｔｓに対応する期間には、データー電圧＋ＶＤ１とデーター電圧−ＶＤ１の電圧は、表示内容に依存せず一定な電圧を印加し、表示内容により、データー電圧＋ＶＤ１とデーター電圧−ＶＤ１を印加する期間を可変にして目的の表示を行う駆動方法を採用する。
【００６５】
たとえば、負側フィールドの書き込み期間Ｔｓでは、データー電圧＋ＶＤ１を期間Ｔ１の時間印加し、データー電圧−ＶＤ１を期間Ｔ２のとき間印加する。この期間Ｔ１と期間Ｔ２との比率を変える駆動方法を採用する。この駆動方法をパルス幅変調駆動方法と呼ぶ。
【００６６】
つぎに、データー電圧補償期間Ｔｄに対応する期間には、前述の書き込み期間Ｔｓと逆極性のデーター電圧を、パルス幅変調駆動方法を用いて印加する。すなわち、データー電圧補償期間Ｔｄには、データー電圧−ＶＤ１を期間Ｔ３の時間印加し、データー電圧＋ＶＤ１を期間Ｔ４の時間印加する。
【００６７】
この期間Ｔ３と期間Ｔ１と期間Ｔ４と期間Ｔ２とはお互いに時間が等しい関係になっている。また時間的には、期間Ｔ３のつぎに期間Ｔ４、期間Ｔ４のつぎに期間Ｔ１、期間Ｔ１のつぎに期間Ｔ２の順序になる。
【００６８】
さらに、非線形抵抗素子の電流−電圧特性の変化を防止する変化防止期間Ｔｒでは、データー信号波形には、データー電圧＋ＶＤ１とデーター電圧−ＶＤ１の中心電圧であるＶＤ０電圧を印加し、表示内容に依存しない電圧を設けている。
【００６９】
走査信号波形には、標準書き込み期間（１Ｈ）以外の保持期間Ｔｈには、保持電圧Ｖｈを印加する。
【００７０】
本発明の第１の実施形態に示す駆動方法を用いたときの残像現象に関して、図３と図４とを用いて説明する。図３は残像現象を示すグラフであり、図４は非線形抵抗素子の電流−電圧特性の変化を示すグラフである。図３に示す残像現象を示すグラフは、従来の技術で説明した図１４と同様に液晶表示装置はノーマリー白の表示を用いている。図３のグラフは任意の画素を、５分間隔で電圧の変化を行うときの透過率の変化を示している。
【００７１】
最初に透過率５０％の表示の電圧（Ｖ１）を５分間（非選択期間：Ｔ１）印加し、つぎに透過率１０％の表示の電圧（Ｖ２）を５分間（選択期間：Ｔ２）印加し、さらにふたたび最初のＴ１の非選択期間に印加した電圧（Ｖ１）と同一な電圧（Ｖ３）を５分間（非選択期間：Ｔ３）印加する。
【００７２】
残像現象は非選択期間Ｔ１と非選択期間Ｔ３とに印加する電圧が等しいにもかかわらず、透過率に差（ΔＴ）が生じる現象である。本発明の第１の実施形態に示す駆動方法を用いることにより、透過率の差（ΔＴ）がきわめて小さくなる。このときの液晶表示装置における透過率の差ΔＴは０．１％であり、肉眼ではまったく検出できない程度に改善できている。
【００７３】
つぎに、本発明の第１の実施形態に示す駆動方法を用いたときの非線形抵抗素子の電流−電圧特性の表示内容による変化を図４を用いて説明する。図４は非線形抵抗素子の電流−電圧特性を示すグラフである。図４のグラフの横軸は非線形抵抗素子に印加する電圧であり、縦軸は非線形抵抗素子に流れる電流を対数軸にて示している。実線Ｘは、一定時間白表示を行った後の電流−電圧特性を示す曲線であり、破線Ｙは一定時間黒表示を行った後の特性を示す曲線である。
【００７４】
白表示後と黒表示後との特性差は、図４のグラフに示すように、実線Ｘと破線Ｙには、ほとんど差（ΔＩ）が発生していない。この原因は、本発明の駆動方法においては表示内容に依存しない変化防止電圧Ｖｒを印加することにより、表示内容によらず平均して非線形抵抗素子の電流−電圧特性が変化しているためである。したがって、表示内容による非線形抵抗素子の電流−電圧特性の変化の差は発生しない。
【００７５】
さらに、データー電圧補償期間Ｔｄには、書き込み期間Ｔｓに対して、中心電圧ＶＤ０に対して対称なデータ電圧でしかも対称な電圧を印加する時間が等しい電圧を印加している。このため、表示内容によりデーター電圧の偏りのが発生することがなくなる。
【００７６】
したがって、書き込み期間Ｔｓに非線形抵抗素子を「オン」にし、液晶に書き込んだ電荷を保持期間Ｔｈに表示内容によるデーター電圧＋ＶＤ１とデーター電圧−ＶＤ１の偏りにより発生する非線形抵抗素子を介して液晶の電荷を変化させることがなくなる。
【００７７】
そのため、保持期間Ｔｈにデーター電圧により液晶に蓄積した電荷を変化させることがないため、表示内容に依存する電荷の変化がなくなる。このため、走査電極あるいはデーター信号電極に連なった画像の変化である、いわゆるクロストークの発生がなくなる。
【００７８】
つぎに本発明の第２の実施形態のおける液晶表示装置の駆動方法を説明する。本発明の第２の実施形態の液晶表示装置の駆動方法に用いる駆動波形を、図５と図６との波形図を用いて説明する。図５は本発明の第２の実施形態に用いる走査信号波形を示す波形図である。図６は本発明の第２の実施形態に用いるデーター信号波形を示す波形図である。以下、図５と図６とを交互に用いて本発明の第２の実施形態を説明する。
【００７９】
図５に示す走査信号波形は、図１７に示す液晶表示パネルの等価回路図の走査電極ＳＮに印加する波形である。また、図６に示すデーター信号波形は、図１７に示す液晶表示パネルの等価回路図のデーター電極ＤＮに印加する波形である。ここで図５と図６との縦軸は電圧を示し、横軸は時間を示す。
【００８０】
図５に示すように、走査信号波形は、時間分割されており、標準書き込み期間（１Ｈ（ＳＮ）））の期間に、非線形抵抗素子の電流−電圧特性の変化を防止する変化防止期間Ｔｒ３と変化防止期間Ｔｒ７と、データー電圧補償期間Ｔｄと、書き込み期間Ｔｓとを有する。
【００８１】
さらに本発明の第２の実施形態では、走査信号電極ＳＮに印加する走査信号波形には、走査信号電極ＳＮの書き込み期間Ｔｓの前に、非線形抵抗素子の電流−電圧特性の変化を防止するために複数回の変化防止期間Ｔｒを印加する。
【００８２】
この複数回の非線形抵抗素子の電流−電圧特性の変化を防止する変化防止期間Ｔｒは、以下に記載のようにする。
【００８３】
走査信号電極ＳＮの前の走査信号電極ＳＮ−１と走査信号電極ＳＮ−２と走査信号電極ＳＮ−３の標準書き込み期間（１Ｈ）のうち、走査信号電極ＳＮ−１の非線形抵抗素子の電流−電圧特性の変化を防止する変化防止期間Ｔｒ２と変化防止期間Ｔｒ６と、走査信号電極ＳＮ−２の非線形抵抗素子の電流−電圧特性の変化を防止する変化防止期間Ｔｒ１と変化防止期間Ｔｒ５と、走査信号電極ＳＮ−３の非線形抵抗素子の電流−電圧特性の変化を防止する変化防止期間Ｔｒ４に相当する期間に、非線形抵抗素子の電流−電圧特性の変化を防止する変化防止電圧Ｖｒを印加する。
【００８４】
また第１の実施形態と同様に、書き込み期間Ｔｓには、書き込み電圧Ｖｓを印加し、データー電圧補償期間Ｔｄには、データー補償電圧Ｖｄを印加する。
【００８５】
本発明の第２の実施形態では、変化防止電圧Ｖｒは、書き込み電圧Ｖｓとデーター補償電圧Ｖｄよりも大きな絶対値の電圧を印加する。さらに、書き込み電圧Ｖｓとデーター補償電圧Ｖｄとは、反対の極性で絶対値が等しい電圧である。
【００８６】
さらに図６に示すように、データー信号波形は、走査信号の書き込み期間Ｔｓに対応する期間には、データー電圧＋ＶＤ１とデーター電圧−ＶＤ１は、表示内容に依存せず一定な電圧を印加し、表示内容により、データー電圧＋ＶＤ１とデーター電圧−ＶＤ１を印加する期間を可変にして目的の表示を行う駆動方法を採用する。
【００８７】
たとえば、負側フィールドの書き込み期間Ｔｓでは、データー電圧＋ＶＤ１を期間Ｔ１の時間印加し、データー電圧−ＶＤ１を期間Ｔ２の時間印加する。この期間Ｔ１と期間Ｔ２の比率を変える駆動方法を採用する。この駆動方法をパルス幅変調駆動方法と呼ぶ。
【００８８】
つぎに走査信号のデーター電圧補償期間Ｔｄに対応する期間には、前述の書き込み期間Ｔｓと逆極性のデーター電圧を、パルス幅変調駆動方法を用いて印加する。
【００８９】
さらに、複数回印加する非線形抵抗素子の電流−電圧特性の変化を防止する変化防止期間Ｔｒ１〜Ｔｒ７には、データー電圧＋ＶＤ１とデーター電圧−ＶＤ１との中心電圧ＶＤ０電圧を印加し、表示内容に依存しない電圧を設けている。
【００９０】
走査信号波形には、標準書き込み期間（１Ｈ）以外の保持期間Ｔｈには、保持電圧Ｖｈを印加する。
【００９１】
本発明の第２の実施形態に示す駆動方法を用いたときの残像現象の評価に関しては、第１の実施形態と同様に、最初に透過率５０％の表示の電圧（Ｖ１）を５分間（非選択期間：Ｔ１）印加し、つぎに透過率１０％の表示の電圧（Ｖ２）を５分間（選択期間：Ｔ２）印加し、さらにふたたび最初のＴ１の非選択期間に印加した電圧（Ｖ１）と同一な電圧（Ｖ３）を５分間（非選択期間：Ｔ３）印加する。
【００９２】
残像現象は非選択期間Ｔ１と非選択期間Ｔ３とに印加する電圧が等しいにもかかわらず、透過率に差（ΔＴ）が生じる現象である。本発明の第２の実施形態に示す駆動方法を用いることにより、透過率の差（ΔＴ）がきわめて小さくなる。このときの液晶表示装置における透過率の差ΔＴは０．０５％であり、肉眼ではまったく検出できない程度に改善できている。
【００９３】
本発明の第２の実施形態を用いた際の非線形抵抗素子の電流−電圧特性の表示内容による変化は、第１の実施形態と同様にきわめて小さい。
【００９４】
さらに、データー電圧補償期間Ｔｄには、必ず中心電圧であるＶＤ０に対して電圧を対称とし、しかも各電圧を印加する時間も等しくすることにより、表示内容によるデーター電圧の偏りが発生することがなくなる。したがって、書き込み期間Ｔｓに非線形抵抗素子を「オン」にして、液晶に書き込んだ電荷を保持期間Ｔｈにデーター電圧＋ＶＤ１とデーター電圧−ＶＤ１の偏りにより、非線形抵抗素子を介して液晶の電荷を変化させることがなくなる。
【００９５】
そのため、保持期間Ｔｈにデーター電圧により液晶に蓄積した電荷を変化させることがないため、表示内容に依存する電荷の変化がない。このため、走査電極あるいはデーター信号電極に連なった画像の変化である、クロストークの発生がなくなる。
【００９６】
さらに本発明の第２の実施形態においては、書き込み期間Ｔｓの前に、非線形抵抗素子の電流−電圧特性の変化を防止する、複数回の変化防止期間Ｔｒを設けている。このために非線形抵抗素子の電流−電圧特性の変化を防止する変化防止期間Ｔｒを、短時間でしかも低電圧にすることが可能となる。
【００９７】
そのため、実際の表示に使用する書き込み期間Ｔｓの時間を長くすることができるため、コントラスト比が向上し、表示品質の向上が可能となる。
【００９８】
さらに、非線形抵抗素子の電流−電圧特性の変化を防止する変化防止電圧Ｖｒの低電圧化が可能である。このため、たとえば非線形抵抗素子の電流−電圧特性の変化を防止する変化防止電圧Ｖｒと書き込み電圧Ｖｓとを等しくすることによって、走査信号の電圧レベルを、変化防止電圧＋Ｖｒ（＝＋Ｖｓ）と、保持電圧＋Ｖｈと、変化防止電圧−Ｖｒ（＝−Ｖｓ）と、保持電圧−Ｖｈとの４段階にすることができる。
【００９９】
つぎに本発明の第３の実施形態における液晶表示装置の駆動方法を説明する。本発明の第３の実施形態の液晶表示装置の駆動方法に用いる駆動波形を、図７と図８との波形図を用いて説明する。図７の波形図は、本発明の第３の実施形態に用いる走査信号波形を示す波形図である。図８は、本発明の第３の実施形態に用いるデーター信号波形を示す波形図である。以下、図７と図８とを交互に用いて本発明の第３の実施形態を説明する。
【０１００】
図７に示す走査信号波形は、図１７に示す液晶表示パネルの等価回路図の走査電極ＳＮに印加する走査信号波形である。さらに、図８に示すデーター信号波形は、図１７に示す液晶表示パネルの等価回路図のデーター電極ＤＮに印加する波形である。ここで図７と図８との縦軸は電圧を示し、横軸は時間を示す。
【０１０１】
図７に示すように、走査信号波形は、時間分割されており、標準書き込み期間（１Ｈ）の期間に、非線形抵抗素子の電流−電圧特性の変化を防止する変化防止期間Ｔｒと、データー電圧補償期間Ｔｄと、書き込み期間Ｔｓとを有する。
【０１０２】
さらに、非線形抵抗素子の電流−電圧特性の変化を防止する変化防止期間Ｔｒは、書き込み期間Ｔｓやデーター電圧補償期間Ｔｄよりも短期間になっている。
【０１０３】
さらに図８に示すようにデーター電圧は、つねに最大のデーター電圧＋ＶＤ１あるいはデーター電圧−ＶＤ１を印加する。
【０１０４】
そのため、非線形抵抗素子の電流−電圧特性の変化を防止する短時間の期間においても効率よく大きな電圧を非線形抵抗素子に印加することが可能であるとともに、書き込み期間Ｔｓを大きくすることができるため、液晶表示装置の表示品質を良好にすることができる。
【０１０５】
また、非線形抵抗素子の電流−電圧特性の変化を防止する変化防止期間Ｔｒには、変化防止電圧Ｖｒを印加する。書き込み期間Ｔｓには、書き込み電圧Ｖｓを印加する。データー電圧補償期間Ｔｄには、データー補償電圧Ｖｄを印加する。
【０１０６】
本発明の第３の実施形態においては、変化防止電圧Ｖｒは、書き込み電圧Ｖｓとデーター補償電圧Ｖｄとよりも大きな絶対値の電圧を印加する。さらに、書き込み電圧Ｖｓとデーター補償電圧Ｖｄとは、反対の極性で絶対値が等しい電圧である。またさらに、非線形抵抗素子の電流−電圧特性の変化を防止する変化防止電圧Ｖｒと書き込み電圧Ｖｓとは、等しい電圧を印加する。
【０１０７】
さらに、データー信号波形は、書き込み期間Ｔｓに対応する期間には、表示内容に応じてデーター電圧＋ＶＤ１とデーター電圧−ＶＤ１の電圧の間の電圧を印加する。この駆動方法をパルス高変調駆動方法と呼ぶ。
【０１０８】
つぎにデーター電圧補償期間Ｔｄに対応する期間では、走査信号の書き込み期間Ｔｓの逆極性のデーター電圧をパルス高変調駆動方法を用いて印加する。
【０１０９】
すなわち、書き込み期間Ｔｓにデーター電圧＋ＶＤ１を印加するときには、データー電圧補償期間Ｔｄには、データー電圧−ＶＤ１を印加する。書き込み期間Ｔｓにデーター電圧＋ＶＤ１の１／３の電圧を印加するときには、データー電圧補償期間Ｔｄには、データー電圧＋ＶＤ１の１／３の電圧を印加する。
【０１１０】
さらに、非線形抵抗素子の電流−電圧特性の変化を防止する変化防止期間Ｔｒには、デ
ーター信号波形には、たとえば非線形抵抗素子の電流−電圧特性の変化を防止する変化防止電圧が＋Ｖｒのときには、データー電圧を−ＶＤ１とし、変化防止電圧が−Ｖｒのときには、データー電圧を＋ＶＤ１印加する。
【０１１１】
走査信号波形には、標準書き込み期間（１Ｈ）以外の保持期間Ｔｈには、保持電圧Ｖｈを印加する。
【０１１２】
本発明の第３の実施形態に示す駆動方法を用いたときの残像現象に関しては、第１の実施形態と同じように、最初に透過率５０％の表示の電圧（Ｖ１）を５分間（非選択期間：Ｔ１）印加し、つぎに透過率が１０％の表示の電圧（Ｖ２）を５分間（選択期間：Ｔ２）印加し、さらにふたたび最初のＴ１の非選択期間に印加した電圧（Ｖ１）と同一な電圧（Ｖ３）を５分間（非選択期間：Ｔ３）印加する。
【０１１３】
残像現象は、非選択期間Ｔ１と非選択期間Ｔ３とに印加する電圧が等しいにもかかわらず、透過率に差（ΔＴ）が生じる現象である。本発明の第３の実施形態に示す駆動方法を用いることによって、透過率の差（ΔＴ）がきわめて小さくなる。このときの液晶表示装置における透過率の差ΔＴは０．１％であり、肉眼ではまったく検出できない程度に改善できている。
【０１１４】
本発明の第３の実施形態を用いた際の非線形抵抗素子の電流−電圧特性の表示内容による変化は、第１の実施形態と同様にきわめて小さい。
【０１１５】
さらに、データー電圧補償期間Ｔｄには、必ず中心電圧であるＶＤ０電圧に対して電圧を対称とし、さらに、各電圧を印加する時間も対称とすることにより、表示内容によるデーター電圧の偏りが発生することがなくなるため、書き込み期間Ｔｓに非線形抵抗素子を「オン」にして、液晶に書き込んだ電荷を保持期間Ｔｈにデーター電圧＋ＶＤ１とデーター電圧−ＶＤ１の偏りにより、非線形抵抗素子を介して液晶の電荷を変化させることがなくなる。
【０１１６】
そのため、保持期間Ｔｈにデーター電圧により液晶に蓄積した電荷を変化させることがない。このため、表示内容に依存する電荷の変化がなくなり、走査電極あるいはデーター信号電極に連なった画像の変化である、クロストークの発生がなくなる。
【０１１７】
つぎに本発明の第４の実施形態における液晶表示装置の駆動方法を説明する。本発明の第４の実施形態の液晶表示装置の駆動方法に用いる駆動波形を、図９と図１０との波形図を用いて説明する。また、液晶の駆動電圧と誘電率の関係を図１１を用いて説明する。また、アクティブマトリクス型液晶表示装置の非線形抵抗素子と液晶の関係を示す等価回路図を図１２を用いて説明する。
【０１１８】
まず、図１１により液晶の駆動電圧と液晶の誘電率異方性の特性を示す。ここで示す駆動電圧は非線形抵抗素子を介さず直接液晶に印加する電圧（実効値電圧：Ｖｒｍｓ）である。図１１の縦軸は透過率（Ｔ）と誘電率（ε）であり、横軸は実効値電圧（Ｖｒｍｓ）を示す。液晶は、アクティブマトリクス液晶表示装置用一般的な液晶であるＺＬＩ−４７９２、偏光板は、クロスニコルに配置し、ノーマリー白モードの場合を示す。
【０１１９】
図１１の特性図に示すように、液晶への駆動電圧（Ｖｒｍｓ）と透過率（Ｔ）の関係を曲線１１に示す。また、駆動電圧（Ｖｒｍｓ）と誘電率（ε）との関係を曲線１２に示す。液晶に印加する電圧により液晶の誘電率が変化することがわかる。
【０１２０】
図１２は、非線形抵抗素子を有する液晶表示装置における液晶と非線形抵抗素子の等価
回路を簡単に示す等価回路図である。図１２に示すように、非線形抵抗素子は可変抵抗１３と素子容量１４とで表すことができる。また、液晶は、抵抗１５と液晶容量１６とで表すことができる。
【０１２１】
液晶容量１６は駆動電圧によって変化するため、素子容量１４と液晶容量１６との比率が駆動電圧により変化する。また、素子容量の比率（容量比＝素子容量１４／液晶容量１６）は駆動電圧が小さい場合には大きく、駆動電圧が大きい場合には小さくなる。
【０１２２】
そのため、本発明の第４の実施形態においては、走査信号波形の変化防止期間Ｔｒあるいは、データー電圧補償期間Ｔｄに印加するデーター信号波形に、液晶の誘電率異方性を補償する電圧を印加するものである。
【０１２３】
図９の波形図は、本発明の第４の実施形態に用いる走査信号波形を示す波形図である。図１０は、本発明の第４の実施形態に用いるデーター信号波形を示す波形図である。以下、図９と図１０とを交互に用いて本発明の第４の実施形態を説明する。図９に示す走査信号波形は、図１７に示す液晶表示パネルの等価回路図の走査電極ＳＮに印加する走査信号波形である。さらに、図１０に示すデーター信号波形は、図１７に示す液晶表示パネルの等価回路図のデーター電極ＤＮに印加する波形である。ここで図９と図１０との縦軸は電圧を示し、横軸は時間を示す。
【０１２４】
図９に示すように、走査信号波形は、時間分割されており、標準書き込み期間（１Ｈ）の期間に、非線形抵抗素子の電流−電圧特性の変化を防止する変化防止期間Ｔｒと、データー電圧補償期間Ｔｄと、書き込み期間Ｔｓとを有する。
【０１２５】
さらに、非線形抵抗素子の電流−電圧特性の変化を防止する変化防止期間Ｔｒとデーター電圧補償期間Ｔｄは、書き込み期間Ｔｓよりも短期間になっている。
【０１２６】
図１０は、データー信号波形を示しており、標準書き込み期間（１Ｈ）の正側フイールドに印加する各表示内容（白、灰、黒表示）に対応する波形を続けて示すものである。また、白から黒の複数の表示に対しては、変化防止期間Ｔｒに印加する電圧は、ＶＢ１、ＶＢ２、ＶＢ３の３種類分類し印加する。
【０１２７】
さらに図１０に示すようにデーター電圧は、３種類のデーター電圧振幅を有する。まず、変化防止期間Ｔｒには、液晶の誘電率の大きさに従い、誘電率の小さい白表示の場合には、±ＶＢ０を用いる。誘電率が中間である中間調（灰）表示の場合には、±ＶＢ２を用いる。誘電率が大きい黒表示の場合には±ＶＢ１を用いる。
【０１２８】
このように、標準書き込み期間（１Ｈ）内において、液晶の誘電率異方性を補正できるため、表示内容が簡単に認識でき、表示内容に依存して液晶の誘電率異方性を補償できる。
【０１２９】
さらに図１０に示すようにデーター電圧補償期間Ｔｄには、一定の電圧ＶＢ３を印加する。これによって表示内容に依存するクロストークの防止を行う。さらに図１０に示すように、データー電圧補償期間Ｔｄには、±Ｖｂ３を用いる。また、書き込み期間Ｔｓには、±ＶＢ３（＝±ＶＢ１）を印加する期間の比率を変えて表示内容を変えるいわゆるパルス幅変調を用いている。
【０１３０】
白表示の際には、書き込み期間Ｔｓには、＋ＶＢ３を書き込み期間Ｔｓと同一なＴ２１の期間印加する。灰表示の際には、書き込み期間Ｔｓには、＋ＶＢ３を書き込み期間Ｔｓの内Ｔ２２の期間印加し、−ＶＢ３をＴ２３の期間印加する。黒表示の際には、書き込み期間Ｔｓには、−ＶＢ３を書き込み期間Ｔｓと同一なＴ２４の期間印加する。
【０１３１】
そのため液晶の誘電率の変化に依存する非線形抵抗素子の電流−電圧特性の変化を防止することが、変化防止期間Ｔｒを利用して効率よくおこなうことができる。
【０１３２】
また、非線形抵抗素子の電流−電圧特性の変化を防止する変化防止期間Ｔｒには、変化防止電圧Ｖｒを印加する。書き込み期間Ｔｓには、書き込み電圧Ｖｓを印加する。データー電圧補償期間Ｔｄには、データー補償電圧Ｖｄを印加する。
【０１３３】
本発明の第４の実施形態では、変化防止電圧Ｖｒと、書き込み電圧Ｖｓとデーター補償電圧Ｖｄとは絶対値の同一な電圧を印加する。これにより走査信号波形は単純化することができる。
【０１３４】
また、変化防止電圧Ｖｒと書き込み電圧Ｖｓとは同一の極性の電圧を印加し、データー補償電圧Ｖｄは逆極性の電圧を印加する。走査信号波形には、標準書き込み期間（１Ｈ）以外の保持期間Ｔｈには、保持電圧Ｖｈを印加する。
【０１３５】
本発明の第４の実施形態に示す駆動方法を用いたときの残像現象に関しては、第１の実施形態よりも長時間各表示を行っている。まず最初に透過率５０％の表示の電圧（Ｖ１）を１０分間（非選択期間：Ｔ１）印加し、つぎに透過率１０％の表示の電圧（Ｖ２）を１８０分間（選択期間：Ｔ２）印加し、さらにふたたび最初のＴ１の非選択期間に印加した電圧（Ｖ１）と同一な電圧（Ｖ３）を１０分間（非選択期間：Ｔ３）印加する。
【０１３６】
この残像現象は、非選択期間Ｔ１と非選択期間Ｔ３とに印加する電圧が等しいにもかかわらず、透過率に差（ΔＴ）が生じる現象である。本発明の第４の実施形態に示す駆動方法を用いることにより、とくに長時間一定の表示を行ったときの透過率の差（ΔＴ）を極きわて小さくできる。このときの液晶表示装置における透過率の差ΔＴは０．１％であり、肉眼ではまったく検出できない程度に改善できている。
【０１３７】
本発明の第４の実施形態を用いた際の、初期と１８０分間透過率１０％の表示を行った後の非線形抵抗素子の電流−電圧特性の表示内容による変化は、第１の実施形態と同様にきわめて小さい。
【０１３８】
さらに、データー電圧補償期間Ｔｄには、必ず表示内容に依存しない一定の電圧ＶＢ３を印加し、書き込み期間Ｔｓの初期に表示内容依存する走査信号波形あるいは、データー信号波形の波形の遅延を一定にすることができる。そのため、表示内容に依存する画像の変化、いわゆるクロストークを低減できる。
【０１３９】
つぎに本発明の第５の実施形態における液晶表示装置の駆動方法を説明する。本発明の第５の実施形態の液晶表示装置の駆動方法に用いる駆動波形を、図１３と図１４との波形図を用いて説明する。
【０１４０】
本第５の実施形態においては、走査信号波形の書き込み期間Ｔｓの初期書き込み期間（Ｔ３１）と最後の書き込み期間（Ｔ３２）とを有する。初期書き込み期間（Ｔ３１）に印加する初期書き込み電圧（±Ｖｓｉ）は、最後の書き込み電圧（±Ｖｓ）よりも絶対値が小さく２段階の書き込み電圧を有する。
【０１４１】
さらにデーター信号波形には、変化防止期間Ｔｒとデーター電圧補償期間Ｔｄと初期書き込み期間（Ｔ３１）と最後の書き込み期間（Ｔ３２）に相当する期間を有する。とくに初期書き込み期間（Ｔ３２）には一定の電圧（ＶＢ０）を印加する。
【０１４２】
つぎに、最後の書き込み期間（Ｔ３２）には表示内容に依存する電圧を印加する。最後の書き込み期間（Ｔ３２）の期間は同一な電圧を印加し、振幅により表示内容を変化させる、いわゆるパルス高さ変調方式を用いている。
【０１４３】
また、液晶の誘電率異方性を補償するために、変化防止期間Ｔｒには、表示内容により電圧を変化し、液晶の誘電率異方性を補償する方法を採用する。
【０１４４】
図１３に示す走査信号波形は、図１７に示す液晶表示パネルの等価回路図の走査電極ＳＮに印加する走査信号波形である。さらに、図１４に示すデーター信号波形は、図１７に示す液晶表示パネルの等価回路図のデーター電極ＤＮに印加する波形である。ここで図１３と図１４の縦軸は電圧を示し、横軸は時間を示す。
【０１４５】
図１３に示すように、走査信号波形は時間分割されており、標準書き込み期間（１Ｈ）の期間に、非線形抵抗素子の電流−電圧特性の変化を防止する変化防止期間Ｔｒと、データー電圧補償期間Ｔｄと、書き込み期間Ｔｓとを有する。
【０１４６】
さらに、書き込み期間Ｔｓは初期書き込み期間（Ｔ３１）と最後の書き込み期間（Ｔ３２）からなる。初期書き込み期間（Ｔ３１）に印加する初期書き込み電圧（±Ｖｓｉ）は、最後の書き込み期間（Ｔ３２）に印加する最後の書き込み電圧（±Ｖｓ）より小さな電圧である。本発明の第５の実施形態においては、書き込み期間Ｔｓ内を２段階の電圧印加期間とする。さらに多段階を採用しても有効である。
【０１４７】
さらに、非線形抵抗素子の電流−電圧特性の変化を防止する変化防止期間Ｔｒとデーター電圧補償期間Ｔｄは、書き込み期間Ｔｓよりも短期間になっている。
【０１４８】
図１４はデーター信号波形を示しており、標準書き込み期間（１Ｈ）の正側フイールドに印加する各表示内容（白、灰、黒表示）に対応する波形を続けて示すものである。また、白から黒の複数の表示に対しては、変化防止期間Ｔｒに印加する電圧は、−ＶＢ０、−ＶＢ２、−ＶＢ１の３種類分類し印加する。
【０１４９】
さらに図１４に示すようにデーター電圧は、３種類のデーター電圧振幅を有する。まず、変化防止期間Ｔｒには、液晶の誘電率の大きさに従い、誘電率の小さい白表示の場合には、−ＶＢ０を用いる。誘電率が中間である中間調（灰）表示の場合には、−ＶＢ２を用いる。誘電率が大きい黒表示の場合には−ＶＢ１を用いる。
【０１５０】
このように、標準書き込み期間（１Ｈ）内において、液晶の誘電率異方性を補正できるため、表示内容が簡単に認識でき、表示内容に依存して液晶の誘電率異方性を補償できる。
【０１５１】
さらに本発明では、図１４に示すようにデーター電圧補償期間Ｔｄには、一定の電圧ＶＢ０を印加する。さらに、初期書き込み期間（Ｔ３１）には、同様に一定の電圧（ＶＢＭ）を印加する。これにより表示内容に依存するクロストークの防止を行う。
【０１５２】
さらに、書き込み期間Ｔｓに相当する部分の内、初期書き込み期間Ｔ３１に相当する部分には、表示内容によらず一定の＋ＶＢＭを印加する。この期間を設けることによりさらにクロストークの低減と書き込み期間Ｔｓの初期に非線形抵抗素子に急激な電流を流すことを効率よく制御できる。
【０１５３】
最後の書き込み期間Ｔ３２では、白表示の際には、＋ＶＢ３を印加する。灰表示の際に
は、＋ＶＢ４を印加する。黒表示の際には、−ＶＢ３（−ＶＢ１）を印加する。
【０１５４】
本発明の第５の実施形態では、変化防止電圧Ｖｒと、最後の書き込み電圧Ｖｓとデーター補償電圧Ｖｄとは絶対値の同一な電圧を印加する。これにより走査信号波形は単純化することができる。さらに、初期の書き込み期間Ｔ３１には、最後の書き込み電圧Ｖｓより小さな電圧を印加するため、走査信号波形を作成する集積回路（ＩＣ）の耐電圧をとくに大きくする必要がない。
【０１５５】
また、変化防止電圧Ｖｒと書き込み電圧Ｖｓとは同一の極性の電圧を印加し、データー補償電圧Ｖｄは逆極性の電圧を印加する。走査信号波形には、標準書き込み期間（１Ｈ）以外の保持期間Ｔｈには、保持電圧Ｖｈを印加する。
【０１５６】
本発明の第５の実施形態に示す駆動方法を用いたときの残像現象に関しては、第１の実施形態よりも長時間各表示を行っている。まず最初に透過率５０％の表示の電圧（Ｖ１）を１０分間（非選択期間：Ｔ１）印加し、つぎに透過率１０％の表示の電圧（Ｖ２）を６００分間（選択期間：Ｔ２）印加し、さらにふたたび最初のＴ１の非選択期間に印加した電圧（Ｖ１）と同一な電圧（Ｖ３）を１０分間（非選択期間：Ｔ３）印加する。
【０１５７】
残像現象は、非選択期間Ｔ１と非選択期間Ｔ３とに印加する電圧が等しいにもかかわらず、透過率に差（ΔＴ）が生じる現象である。本発明の第５の実施形態に示す駆動方法を用いることにより、とくに長時間一定の表示を行ったときの透過率の差（ΔＴ）がきわめて小さくできる。このときの液晶表示装置における透過率の差ΔＴは０．０５％であり、肉眼ではまったく検出できない程度に改善できている。
【０１５８】
本発明の第５の実施形態を用いた際の、初期と６００分間透過率１０％の表示を行った後の非線形抵抗素子の電流−電圧特性の表示内容による変化は、第１の実施形態と同様にきわめて小さい。
【０１５９】
さらに、データー電圧補償期間Ｔｄには、必ず表示内容に依存しない一定の電圧ＶＢＭを印加し、さらに初期書き込み期間Ｔｓｉに表示内容に依存しないデーター信号波形を用いているため、データー信号波形の波形の遅延を一定にすることができる。そのため、表示内容に依存する画像の変化、いわゆるクロストークを低減できる。
【０１６０】
以上の説明から明らかなように本第５の実施形態を用いることにより長時間一定の表示を行った場合においても、表示内容に依存する非線形抵抗素子の電流−電圧特性をほとんど発生することがない。
【０１６１】
【発明の効果】
以上の説明から明らかなように、本発明の駆動波形を用いることによって、走査信号電極に印加する走査信号波形は標準書き込み期間（１Ｈ）に書き込み期間Ｔｓとデーター電圧補償期間Ｔｄと非線形抵抗素子の電流−電圧特性の変化を防止する変化防止期間Ｔｒを有し、さらに保持期間Ｔｈを有する。
【０１６２】
ことにより、走査信号波形の書き込み期間Ｔｓとデーター信号波形との組み合わせにより目的の表示をおこない、さらに非線形抵抗素子の電流−電圧特性の変化を防止する変化防止期間Ｔｒに変化防止電圧Ｖｒを印加することにより表示内容に依存する非線形抵抗素子の電流−電圧特性の変化を防止できる。
【０１６３】
また、変化防止期間Ｔｒに液晶の誘電率異方性を補償するたに電圧振幅の異なる電圧を印加する。液晶の誘電率が大きいときには小さな電圧振幅を採用し、誘電率が小さなとき
には大きな電圧振幅を採用することにより、とくに長期間非線形抵抗素子を利用する場合に、表示内容に依存する非線形抵抗素子の電流−電圧特性の変化の差をきわめて小さくすることができる。
【０１６４】
さらに、書き込み期間Ｔｓの初期の書き込み電圧から最後の書き込み電圧を段階的あるいは徐々に大きくすることを採用することにより書き込み期間Ｔｓの初期に非線形抵抗素子に流れる電流を小さく制御することができる。さらに、初期書き込み期間のデーター信号波形を表示内容に依存せず一定にすることによりさらに改善できる。
【０１６５】
さらにそのうえ本発明では、データー電圧補償期間Ｔｄを設けることにより表示内容によるデーター電圧の偏りの発生を防止できる。このため、表示内容により書き込み期間Ｔｓに液晶に蓄積する電荷を保持期間Ｔｈに非線形抵抗素子を介しての電荷の変化を防止することができる。
【０１６６】
さらに、非線形抵抗素子の電流−電圧特性の変化を防止する、複数回の変化防止期間Ｔｒを書き込み期間Ｔｓの前に設ける。このことにより本発明の駆動方法では、効率よくかつ低電圧にて非線形抵抗素子の電流−電圧特性の変化を防止できる。
【０１６７】
さらにそのうえ、非線形抵抗素子の電流−電圧特性の変化を防止する変化防止期間Ｔｒを書き込み期間Ｔｓあるいはデーター電圧補償期間Ｔｄよりも短期間にする。このことにより本発明では、表示品質を低下することなく非線形抵抗素子の電流−電圧特性の変化を防止することができる。
【０１６８】
さらに、非線形抵抗素子の電流−電圧特性の変化を防止する変化防止期間Ｔｒに印加する変化防止電圧Ｖｒを書き込み期間Ｔｓに印加する電圧Ｖｓあるいはデーター電圧補償期間Ｔｄに印加する電圧Ｖｄよりも大きな電圧を印加する。
【０１６９】
このことによって本発明の駆動方法においては、効率よく非線形抵抗素子に電流を流すことができる。このため、非線形抵抗素子の電流−電圧特性の変化を、短時間に効率よく安定してしかも均一に防止することができ、コントラストの低下やフリッカ現象や画像焼き付き現象を防止して、良好な画像品質を有する液晶表示装置の駆動方法を提供することがでる。
【図面の簡単な説明】
【図１】本発明の実施形態における液晶表示装置の駆動方法を示し、走査信号波形を示す波形図である。
【図２】本発明の実施形態における液晶表示装置の駆動方法を示し、データー信号波形を示す波形図である。
【図３】本発明の実施形態における液晶表示装置の駆動方法を用いたときの液晶表示装置の焼き付き量を示すグラフである。
【図４】本発明の実施形態における液晶表示装置の駆動方法を用いたときの非線形抵抗素子の電流−電圧特性の変化を示すグラフである。
【図５】本発明の実施形態における液晶表示装置の駆動方法を示し、走査信号波形を示す波形図である。
【図６】本発明の実施形態における液晶表示装置の駆動方法を示し、データー信号波形を示す波形図である。
【図７】本発明の実施形態における液晶表示装置の駆動方法を示し、走査信号波形を示す波形図である。
【図８】本発明の実施形態における液晶表示装置の駆動方法を示し、データー信号波形を示す波形図である。
【図９】本発明の実施形態における液晶表示装置の駆動方法を示し、走査信号波形を
示す波形図である。
【図１０】本発明の実施形態における液晶表示装置の駆動方法を示し、データー信号波形を示す波形図である。
【図１１】液晶の印加電圧と透過率の関係と、印加電圧と誘電率の関係を示すグラフである。
【図１２】液晶と非線形抵抗素子の構成を電気的に等価に示す回路図である。
【図１３】本発明の実施形態における液晶表示装置の駆動方法を示し、走査信号波形を示す波形図である。
【図１４】本発明の実施形態における液晶表示装置の駆動方法を示し、データー信号波形を示す波形図である。
【図１５】非線形抵抗素子を備える液晶表示パネルの構成を示す平面図である。
【図１６】非線形抵抗素子を備える液晶表示パネルの構成を示す断面図である。
【図１７】非線形抵抗素子を備える液晶表示パネルの構成を示す等価回路図である。
【図１８】従来技術における液晶表示装置の駆動方法を示し、走査信号波形を示す波形図である。
【図１９】従来技術における液晶表示装置の駆動方法を示し、データー信号波形を示す波形図である。
【図２０】従来技術における液晶表示装置の駆動方法を用いたときの液晶表示装置の焼き付き量を示すグラフである。
【図２１】従来技術における液晶表示装置の駆動方法を用いたときの非線形抵抗素子の電流−電圧特性の変化を示すグラフである。
【符号の説明】
Ｔｓ  書き込み期間
Ｔｒ 変化防止期間
Ｔｄ  データー電圧補償期間
Ｔｈ  保持期間
＋Ｖｓ  書き込み電圧
−Ｖｓ  書き込み電圧
＋Ｖｒ  変化防止電圧
−Ｖｒ  変化防止電圧
＋Ｖｄ  データー補償電圧
−Ｖｄ  データー補償電圧
＋Ｖｈ  保持電圧
−Ｖｈ  保持電圧
＋ＶＤ１  データー電圧
−ＶＤ１  データー電圧
Ｔ３１  初期書き込み期間
Ｔ３２  最後の書き込み期間
ＳＮ  走査信号電極
ＤＮ  データー電極
【図１】
0003595058.tif 000002
【図２】
0003595058.tif 000003
【図３】
0003595058.tif 000004
【図４】
0003595058.tif 000005
【図５】
0003595058.tif 000006
【図６】
0003595058.tif 000007
【図７】
0003595058.tif 000008
【図８】
0003595058.tif 000009
【図９】
0003595058.tif 000010
【図１０】
0003595058.tif 000011
【図１１】
0003595058.tif 000012
【図１２】
0003595058.tif 000013
【図１３】
0003595058.tif 000014
【図１４】
0003595058.tif 000015
【図１５】
0003595058.tif 000016
【図１６】
0003595058.tif 000017
【図１７】
0003595058.tif 000018
【図１８】
0003595058.tif 000019
【図１９】
0003595058.tif 000020
【図２０】
0003595058.tif 000021
【図２１】
0003595058.tif 000022